(57)【要約】【課題】本考案は、人体にマイナスの影響を与えずにパルプ繊維体に立体の図柄をもたせることが可能な、食器の凹凸付け構造を提供する。【解決手段】本考案による食器の凹凸付け構造は、紙皿、或いは、紙弁当箱、或いは、紙コップのパルプ繊維体からなる。前記パルプ繊維体の所定の側面は、少なくとも一つの凹み部を形成し、もう一方の側面は、前記凹み部と相互に対応する凸出部を形成する。このパルプ繊維体の凹み部と凸出部の形成によって、表面に立体の図柄領域、文字領域、数字領域を形成させることができる。また、凹み部には、異なる凹みの深さをもつ凹み箇所が形成される。【選択図】図１
0003167635.tif 000002
【実用新案登録請求の範囲】
【請求項１】
パルプ繊維体からなる食器の凹凸付け構造であって、前記パルプ繊維体の所定の側面は、少なくとも一つの凹み部を形成し、もう一方の側面は、前記凹み部と相互に対応する凸出部を形成することを特徴とする、食器の凹凸付け構造。
【請求項２】
前記パルプ繊維体は、紙皿、或いは、紙弁当箱、或いは、紙コップの内の一つであることを特徴とする、請求項１に記載の食器の凹凸付け構造。
【請求項３】
前記凹み部は、異なる凹みの深さをもつ凹み箇所を備えることを特徴とする、請求項１に記載の食器の凹凸付け構造。
【請求項４】
前記パルプ繊維体の表面は図柄領域を形成することを特徴とする、請求項１に記載の食器の凹凸付け構造。
【請求項５】
前記パルプ繊維体の表面は文字領域を形成することを特徴とする、請求項１に記載の食器の凹凸付け構造。
【請求項６】
前記パルプ繊維体の表面は数字領域を形成することを特徴とする、請求項１に記載の食器の凹凸付け構造。
【考案の詳細な説明】
【技術分野】
【０００１】
本考案は食器の構造に関し、特に食器に立体感のある図柄、文字、数字を持たせることが可能且つ実用性を兼ね備えた食器の凹凸付け構造に関する。
【背景技術】
【０００２】
市場で頻繁に使われる食器には、ポリスチレンの食器、プラスチックの食器、紙の食器等、多くの種類がある。その内、紙の食器は、その表面にカラーの図柄を印刷する際、食器の表面には粘着性をもつ膜があるため、印刷機で食器に直接印刷すると、着色塗料と混ざり合ってしまう。従って、印刷機で食器に印刷を行った際に着色塗料が混ざらないようにするために、特殊粉質を食器表面に被覆させることで、この欠点を改善することができる。
【０００３】
しかしながら、上述した紙の食器を使用すると、紙の食器の着色塗料の図柄は食器の外観の美しさを高めることができるものの、使用者が食器を使用する際、その着色塗料及び上述の特殊粉質が使用者によって食され体の中へ進入し、人体の健康に対して害が生じる恐れがあるという問題が生じるため、改善する必要がある。
【考案の概要】
【考案が解決しようとする課題】
【０００４】
そこで、本考案は、人体にマイナスの影響を与えずにパルプ繊維体に立体の図柄をもたせることが可能な食器の凹凸付け構造を提供することを目的とする。
【０００５】
また、本考案は、パルプ繊維体に複数層構造を持たせることが可能な食器の凹凸付け構造を提供することを目的とする。
【課題を解決するための手段】
【０００６】
上述の目的を達成するために、本考案による食器の凹凸付け構造は、紙皿、或いは、紙弁当箱、或いは、紙コップのパルプ繊維体からなる。前記パルプ繊維体の所定の側面は、少なくとも一つの凹み部を形成し、もう一方の側面は、前記凹み部と相互に対応する凸出部を形成する。このパルプ繊維体の凹み部と凸出部の形成によって、表面に立体の図柄領域、文字領域、数字領域を形成させることができる。また、凹み部には、異なる凹みの深さをもつ凹み箇所が形成される。
【考案の効果】
【０００７】
本考案により、紙の食器の着色塗料や特殊粉質が食事の際に人体に入り込み害が生じる恐れがあるという従来の技術の抱える問題を解決することができる。
【図面の簡単な説明】
【０００８】
【図１】本考案の好ましい実施例を示した斜視図１である。
【図２】本考案の好ましい実施例を示した斜視図２である。
【図３】本考案の実施例１を示した斜視図１である。
【図４】本考案の実施例１を示した斜視図２である。
【図５】本考案の実施例２を示した斜視図１である。
【図６】本考案の実施例２を示した斜視図２である。
【図７】本考案の実施例３を示した斜視図である。
【図８】本考案の実施例４を示した斜視図である。
【図９】本考案の実施例５を示した斜視図である。
【図１０】本考案の実施例６を示した斜視図である。
【図１１】本考案の実施例７を示した斜視図である。
【考案を実施するための形態】
【０００９】
図１と図２を参照する。図１は、本考案の好ましい実施例を示した斜視図１であり、図２は、本考案の好ましい実施例を示した斜視図２である。図から分かるように、本考案は、パルプ繊維体１からなる。パルプ繊維体１は紙皿であり、パルプ繊維体１の所定の側面は、少なくとも一つの凹み部１１を形成し、もう一方の側面は、凹み部１１と相互に対応する凸出部１２を形成し、その表面は、図柄領域１３、文字領域１４、数字領域１５を形成する。立体図柄をもつ紙皿を作りたいときは、まず、直接、パルプ繊維体１に凹み処理を行い、パルプ繊維体１に凹み部１１と凸出部１２を形成させ、その後、さらに、パルプ繊維体１を紙皿の形状を形成させる処理を行うことで、立体領域をもつ紙皿を完成させる。
【００１０】
なお、使用者が紙皿（パルプ繊維体１）に食物を置き食事を行う際、紙皿の図柄領域１３、文字領域１４、数字領域１５は、凹み部１１及び凸出部１２に直接形成されているため、カラーインクや特殊粉質を用いる必要がなく、人体に対するマイナスの影響がないとともに、美しい立体領域（図柄）も兼ね備えさせることができる。
【００１１】
（実施例１）
図３と図４を参照する。図３は、本考案の実施例１を示した斜視図１であり、図４は、本考案の実施例１を示した斜視図２である。図から分かるように、パルプ繊維体１ａは、紙弁当箱であり、パルプ繊維体１ａの所定の側面は、少なくとも一つの凹み部１１ａを形成し、もう一方の側面は、凹み部１１ａと相互に対応する凸出部１２ａを形成する。凹み部１１ａと凸出部１２ａの形成により、紙弁当箱の表面に、立体の図柄領域１３ａ、文字領域１４ａ、数字領域１５ａを形成させることができる。
【００１２】
（実施例２）
図５と図６を参照する。図５は、本考案の実施例２を示した斜視図１であり、図６は、本考案の実施例２を示した斜視図２である。図から分かるように、パルプ繊維体１ｂは紙コップであり、パルプ繊維体１ｂの所定の側面は、少なくとも一つの凹み部１１ｂを形成し、もう一方の側面は、凹み部１１ｂと相互に対応する凸出部１２ｂを形成する。凹み部１１ｂと凸出部１２ｂの形成により、紙コップの表面に、立体の図柄領域１３ｂ、文字領域１４ｂ、数字領域１５ｂを形成させることができる。
【００１３】
（実施例３）
図７を参照する。図７は、本考案の実施例３を示した斜視図である。図から分かるように、パルプ繊維体１ｃの所定の側面は、少なくとも一つの凹み部１１ｃを形成し、もう一方の面は、凹み部１１ｃ相と相互に対応する凸出部１２ｃを形成し、この凹み部１１ｃは、さらに異なる凹みの深さをもつ凹み箇所を備える。それにより、凹み部１１ｃに複数層の構造をもたせ、立体感をさらにはっきりとさせることができる。
【００１４】
（実施例４）
図８を参照する。図８は、本考案の実施例４を示した斜視図である。図から分かるように、パルプ繊維体１ｄの所定の側面は、複数の凹み部１１ｄを備え、もう一方の面は、凹み部１１ｄと相互に対応する凸出部（図示せず）を形成する。その内、凹み部１１ｄは、横向きの線を並列してなり、パルプ繊維体１ｄを更に多様化させている。
【００１５】
（実施例５）
図９を参照する。図９は、本考案の実施例５を示した斜視図である。図から分かるように、パルプ繊維体１ｅの所定の側面は、複数の凹み部１１ｅを形成し、もう一方の面は、凹み部１１ｅと相互に対応する凸出部（図示せず）を形成する。その内、凹み部１１ｅは、垂直曲線を並列に配列してなり、パルプ繊維体１ｅを更に多様化させている。
【００１６】
（実施例６）
図１０を参照する。図１０は、本考案の実施例６を示した斜視図である。図から分かるように、パルプ繊維体１ｆの所定の側面は、複数の凹み部１１ｆを形成し、もう一方の面は、凹み部１１ｆと相互に対応する凸出部（図示せず）を形成する。その内、凹み部１１ｆは特定の幾何学模様を形成し、パルプ繊維体１ｆを更に多様化させている。
【００１７】
（実施例７）
図１１を参照する。図１１は、本考案の実施例７を示した斜視図である。図から分かるように、パルプ繊維体１ｇの所定の側面は、複数の凹み部１１ｇを形成し、もう一方の面は、凹み部１１ｇと相互に対応する凸出部（図示せず）を形成する。その内、凹み部１１ｇは、菱形模様を形成し、パルプ繊維体１ｇを更に多様化させている。
【００１８】
全ての図を参照する。本考案は、従来の技術と比較し、以下の利点をもつ。
１、凹み部１１と、それに対応する凸出部１２により、パルプ繊維体１に立体の図柄領域１３、或いは、文字領域１４、或いは、数字領域１５を形成させ、パルプ繊維体１に立体の図柄をもたせることができるだけでなく、人体にマイナスの影響を与えない。
２、凹み部１１には、異なる凹みの深さをもつ凹み箇所を備えさせることができ、この凹み部１１によってパルプ繊維体１に複数層の構造をもたせることができる。
【符号の説明】
【００１９】
１、１ａ、１ｂ、１ｃ、１ｄ、１ｅ、１ｆ、１ｇ  パルプ繊維体    
１１、１１ａ、１１ｂ、１１ｃ、１１ｄ、１１ｅ、１１ｆ、１１ｇ凹み部    
１２、１２ａ、１２ｂ、１２ｃ  凸出部  
１３、１３ａ、１３ｂ  図柄領域        
１４、１４ａ、１４ｂ  文字領域        
１５、１５ａ、１５ｂ  数字領域        
【図１】
0003167635.tif 000003
【図２】
0003167635.tif 000004
【図３】
0003167635.tif 000005
【図４】
0003167635.tif 000006
【図５】
0003167635.tif 000007
【図６】
0003167635.tif 000008
【図７】
0003167635.tif 000009
【図８】
0003167635.tif 000010
【図９】
0003167635.tif 000011
【図１０】
0003167635.tif 000012
【図１１】
0003167635.tif 000013